(57)【特許請求の範囲】
【請求項１】
ケース本体と、
前記ケース本体から概ね筒状に突出させて形成された音導管と、
伸縮性を有する材料で形成され、前記音導管に嵌め込み可能に設けられた環部を有するイヤーチップと、を備えたイヤホン装置であって、
前記音導管は、前記ケース本体とは反対側の端部に配置されたフランジと、前記フランジと前記ケース本体との間に配置された第１の規制部と、を有し、
前記イヤーチップは、前記音導管からの取り外し方向への移動が前記フランジにより規制された第１状態と、前記音導管からの取り外し方向への移動が前記第１の規制部により規制された第２状態と、を取り得る、
イヤホン装置。
【請求項２】
前記第１の規制部の位置における前記音導管の第１外周の長さは、前記環部の内周の長さよりも長く形成されており、
前記イヤーチップの前記第１状態において、前記環部の内周が、前記第１外周の少なくとも一部に当接する、
請求項１に記載のイヤホン装置。
【請求項３】
前記音導管は、前記第１の規制部と前記ケース本体との間に第２の規制部を有し、
前記第２の規制部の位置における前記音導管の第２外周の長さは、前記環部の内周の長さよりも長く形成されており、
前記イヤーチップの前記第２状態において、前記環部の内周が、前記第２外周の少なくとも一部に当接する、
請求項１又は２に記載のイヤホン装置。
【請求項４】
前記第１状態においては、前記イヤーチップの前記ケース本体側への移動は前記第２の規制部に当接することで規制される、
請求項３に記載のイヤホン装置。
【請求項５】
前記第２状態においては、前記イヤーチップの前記ケース本体側への移動は前記ケース本体に当接することで規制される、
請求項３又は４に記載のイヤホン装置。
【請求項６】
前記第１の規制部は、前記音導管の径方向に突出した形状を有し、前記第１外周の少なくとも一部を形成している、
請求項２から５のいずれかに記載のイヤホン装置。
【請求項７】
前記第２の規制部は、前記音導管の径方向に突出した形状を有し、前記第２外周の少なくとも一部を形成している、
請求項３から６のいずれかに記載のイヤホン装置。
【請求項８】
前記第１の規制部は、前記音導管の中心線を挟んで対向する１対の第１突起を有し、
前記第２の規制部は、前記音導管の中心線を挟んで対向する１対の第２突起を有し、
前記第１突起の対向する方向と前記第２突起の対向する方向とは、互いにずれている、
請求項３から５のいずれかに記載のイヤホン装置。
【発明の詳細な説明】
【技術分野】
【０００１】
本発明は、イヤホン装置、特にユーザーの外耳道に挿入された状態で使用されるイヤホン装置、およびイヤホン装置に使用されるイヤホン装置本体に関する。
【背景技術】
【０００２】
近年、ユーザーの外耳道に一部が挿入された状態で使用される挿入方式のイヤホン装置が広く用いられている（例えば、特許文献１および特許文献２を参照）。この種のイヤホン装置は、電気信号の入力を受けて音を発生する発音体と、発音体を収容するケース本体と、ケース本体から突出する音導管と、イヤーチップと、を有している。イヤーチップは、伸縮性を有する材質（例えば、軟質ゴム）で形成され、音導管に取り付け可能である。ユーザーがイヤホン装置を使用する場合には、音導管にイヤーチップが取り付けられ、音導管がイヤーチップに覆われた状態でユーザーの外耳道に挿入される。発音体で発生した音は、音導管に形成された貫通孔を伝わり、イヤーチップの先端からイヤホン装置の外部へ伝わる。
特許文献１および特許文献２に示されたイヤホン装置では、イヤーチップは、音導管に嵌め込まれることにより、音導管に対して固定される。
【０００３】
上記のような挿入方式のイヤホン装置は、イヤーチップがユーザーの外耳道を塞ぐように配置された状態で使用される。このように、外部の騒音の影響を低減することにより、音質の向上が図られている。また、イヤーチップは、クッション材としても機能しており、音導管がユーザーの外耳道に接触することを防止している。
一方で、ユーザーの外耳道の形状や大きさの多様性を考慮したイヤホン装置も知られている。例えば、ユーザーがユーザー自身の嗜好や外耳道の大きさに応じてイヤーチップを取り替えることができるように、寸法やデザインの異なる複数のイヤーチップがイヤホン装置の付属品として提供される場合がある。
【先行技術文献】
【特許文献】
【０００４】
【特許文献１】特開２００５−１９１６６３号公報
【特許文献２】特開２００７−１８９４６８号公報
【発明の概要】
【０００５】
しかしながら、イヤーチップが音導管に嵌め込まれているだけでは、イヤーチップが音導管から容易に脱落してしまう可能性がある。つまり、従来のイヤホン装置では、イヤーチップの音導管からの脱落を防止できる程度には、イヤーチップを音導管に確実に固定することができない。
ここに開示されるイヤホン装置は、ケース本体と、前記ケース本体から概ね筒状に突出されて形成された音導管と、伸縮性を有する材料で形成され、前記音導管に嵌め込み可能に設けられた環部を有するイヤーチップと、を備えている。音導管は、ケース本体とは反対側の端部に配置されたフランジと、フランジとケース本体との間に配置された第１の規制部と、を有する。イヤーチップは、音導管からの取り外し方向への移動がフランジにより規制された第１状態と、音導管からの取り外し方向への移動が第１の規制部により規制された第２状態と、をとり得る。
【０００６】
ここで、筒状とは、貫通孔が形成された部材の形状を表している。筒状の部材が貫通孔の延びる方向（以下、貫通方向という）に沿って切断された場合に、切断面は貫通方向に長く延びている。したがって、筒状とは、円筒以外の形状を含む概念であり、例えば、貫通方向に垂直な断面が楕円である場合を含む概念である。
【図面の簡単な説明】
【０００７】
【図１】イヤーチップ５が取り付けられていない状態でのイヤホン装置１００の斜視図
【図２】第１状態でのイヤホン装置１００の縦断面図
【図３】図２のIII―III断面図
【図４】第２状態でのイヤホン装置１００の縦断面図
【図５】イヤーチップ５が取り付けられていない状態でのイヤホン装置２００の斜視図
【図６】第１状態でのイヤホン装置２００の縦断面図
【発明を実施するための形態】
【０００８】
〔第１実施形態〕
以下、第１実施形態に係るイヤホン装置１００について、図面を参照しながら説明する。
＜１．１：構成＞
図１は、第１実施形態に係るイヤホン装置１００の斜視図である。図２は、イヤーチップ５が音導管３の先端側で固定された場合（つまり、後述する第１状態の場合）のイヤホン装置１００の断面図である。ただし、図２では、背部カバー１５およびコード４は省略されている。図３は、図２の切断線III−IIIにおける断面図である。ただし、ケース本体１０の上面図が併記されている。ここで、図１〜図６に三次元直交座標系Ｏを導入する。三次元直交座標系Ｏでは、Ｚ軸方向は中心線ＣＬ（後述）の方向に一致しており、Ｘ軸方向は１対の第１突起１３４（後述）が対向する方向と一致しており、Ｙ軸方向は１対の第２突起１３３（後述）が対向する方向と一致している。
【０００９】
図１および図２に示すように、イヤホン装置１００は、イヤホン装置本体１と、イヤホン装置本体１に取り付け可能なイヤーチップ５と、を有している。イヤホン装置本体１は、ケース本体１０と、ケース本体１０の内部に固定された発音体２と、コード４と、ケース本体１０から延びる音導管３と、を有している。
＜１．１．１：ケース本体＞
ケース本体１０は、合成樹脂などの容易に変形しない材質を用いてカップ状に成形された背部カバー１５と、背部カバー１５に固定された前部カバー１１と、を有している。
背部カバー１５は、ユーザーがイヤホン装置１００を耳に装着した状態で、外から見える位置に配置される。背部カバー１５は、コード４を支持するためのコード支持部１６を有している。コード支持部１６は、背部カバー１５から突出しており、コード４を通すための孔部を有している。
【００１０】
前部カバー１１は、背部カバー１５と共に発音体２を収容するための空間を形成している。前部カバー１１は、筒状の側面部と、側面部の背部カバー１５と反対側に設けられた前面１１ａと、第４係止面１１ｂと、を有している。前面１１ａは、ユーザーがイヤホン装置１００を使用している場合に、ユーザー側を向くように配置される。前面１１ａは、その概ね中央に形成された開口を有しており、この開口を介して音導管３と連結されている。第４係止面１１ｂは、音導管３と前面１１ａの開口との連結部分に形成された環状の面であり、音導管本体３５の外周面３５ａ（後述）に連結されている。
発音体２は、入力される音声信号に応じて振動を生じさせるドライバユニットであり、コード４を介して入力された音声信号に基づいて音を発生させる。発音体２は、前部カバー１１および背部カバー１５により形成された空間の内部に収容されている。
【００１１】
コード４は、発音体２に接続されている。また、コード４は、音声信号を発生させるオーディオ機器などの電子機器にも接続されており、これらの電子機器から出力される音声信号を発音体２に伝達する。コード４は、コード支持部１６に形成された孔部を通じて、ケース本体１０の内側に導かれる。
＜１．１．２：音導管＞
音導管３は、概ね筒状に形成され、前部カバー１１の前面１１ａから突出しており、発音体２で発生した音を伝える。音導管３は、音導管本体３５と、フランジ３２と、第１突起１３４と、第２突起１３３と、を有している。
《音導管本体》
音導管本体３５は、中心線ＣＬを有する円筒であり、前面１１ａから中心線ＣＬに沿った方向（以下、中心線方向という）に延びている。音導管本体３５は、イヤーチップ５の環部５３を嵌め込み可能な外周面３５ａを有している。また、音導管本体３５には、ケース本体１０の内部と外部とを連通し発音体２で発生した音を伝える、貫通孔としての音通孔３１が形成されている。前述のように、ケース本体１０の前面１１ａには中心部分に開口が設けられており、この開口を囲むように細長い音導管本体３５が形成されている。そして、音導管本体３５の径は、前部カバー１１の径よりも小さく設定されている。音導管本体３５を含む音導管３は、例えばケース本体１０（より詳細には、前部カバー１１）と一体的に形成されている。なお、中心線ＣＬは音導管３の中心線でもある。
【００１２】
《フランジ》
フランジ３２は、音導管３のケース本体１０とは反対側の端部に設けられており、音導管本体３５から音導管３の径方向に突出している。ここで、径方向とは、中心線ＣＬから、中心線方向（第１方向の一例）に垂直な平面に沿って放射状に広がる方向である。図１に示すように、フランジ３２は、音導管本体３５の外周面３５ａの周方向に沿って一周するように、環状に設けられている。
図２に示すように、フランジ３２は、第１係止面３２ａを有している。第１係止面３２ａは、フランジ３２のケース本体１０側に設けられた環状の面であり、中心線方向と概ね垂直に形成されている。フランジ３２は、イヤーチップ５が第１状態（後述）にある場合に、第１係止面３２ａにイヤーチップ５の環部５３を当接させることにより、中心線方向へのイヤーチップ５の移動を規制する。
【００１３】
フランジ３２のケース本体１０の反対側には、端面３８が設けられている。端面３８はフランジ３２および音導管本体３５によって形成された環状の面であり、中心線方向と概ね垂直に設けられている。端面３８は、音導管３のケース本体１０とは反対側の先端である。
《第１突起》
第１突起１３４（第１の規制部の一例、第１突出部の一例）は、音導管本体３５の外周面３５ａから音導管３の径方向へ突出する１対の突起であり、第２係止面１３４ａと、第１段差面１３４ｂと、を有している。図２に示すように、第１突起１３４は、フランジ３２とケース本体１０（より詳細には、前面１１ａ）との間に配置されている。第１突起１３４は、音導管本体３５の周方向に沿って形成されており、周方向に沿って延びている。
【００１４】
１対の第１突起１３４は、中心線ＣＬを挟んでＸ軸方向（第２方向の一例）に対向している。また、第１突起１３４が形成されている位置で音導管３を中心線方向に垂直に切断すると、第１断面６４が得られる。第１断面６４は、第１外周６４ａを有している（図３）。第１外周６４ａの長さがイヤーチップ５の環部５３の内周の長さよりも長くなるように、第１突起１３４が形成されている。
第２係止面１３４ａは、第１突起１３４のケース本体１０側に設けられ、中心線方向に概ね垂直に形成されている。第１突起１３４は、イヤーチップ５が第２状態（後述）にある場合に、第２係止面１３４ａにイヤーチップ５の環部５３を当接させることにより、中心線方向（より詳細には、Ｚ軸正方向）へのイヤーチップ５の移動を規制する。第１段差面１３４ｂは、第１突起１３４のフランジ３２側に設けられ、中心線方向に概ね垂直に形成されている。
【００１５】
ここで、音導管３の肉厚を調節することにより、第１突起１３４を形成することができる。図３に示すように、肉厚Ｔ１は、第１断面６４において第１突起１３４が形成されている場所で測定された音導管３の肉厚である。肉厚Ｔ１は、第１突起１３４の突出する方向（つまり、径方向）に測定されている。そして、肉厚Ｔ１は、図３に示す肉厚Ｔ２よりも大きい。肉厚Ｔ２は、第１突起１３４が形成されていない位置において測定された音導管３の肉厚である。なお、肉厚Ｔ２の測定位置は一例であり、第１突起１３４が形成されていない位置であれば、他の位置において測定された肉厚を肉厚Ｔ２としてもよい。第１断面６４での音導管３の肉厚は、第１突起１３４の形成されている場所で最大となっている。
《第２突起》
第２突起１３３（第２の規制部の一例、第２突出部の一例）は、音導管本体３５の外周面３５ａから音導管３の径方向へ突出する１対の突起であり、第３係止面１３３ａと、第２段差面１３３ｂと、を有している。図２に示すように、第２突起１３３は、中心線方向において、第１突起１３４とケース本体１０（より詳細には、前面１１ａ）との間に配置されている。図３において点線で示すように、第２突起１３３は、音導管本体３５の周方向に沿って形成されており、周方向に延びている。
【００１６】
１対の第２突起１３３は、中心線ＣＬを挟んでＹ軸方向（第３方向の一例）に対向している。つまり、１対の第２突起１３３が対向する方向は、一対の第１突起１３４が対向する方向と直交している。
また、第２突起１３３が形成されている位置で、音導管３を中心線ＣＬに垂直な方向に切断すると、第２断面６３が得られる。例えば、仮想線ＶＬ（図４）の位置で切断することにより、第２断面６３が得られる。第２断面６３は、第２外周６３ａを有している。第２断面６３の第２外周６３ａの長さがイヤーチップ５の環部５３の内周の長さよりも長くなるように、第２突起１３３が設けられている。前述の通り、第２突起１３３は、第１突起１３４よりもケース本体１０側に配置されているので、第２断面６３は第１断面６４よりもケース本体１０側に存在している。
【００１７】
第３係止面１３３ａは、第２突起１３３のフランジ３２側に設けられ、中心線方向と概ね垂直に形成されている。第２突起１３３は、イヤーチップ５が第１状態にある場合に、第３係止面１３３ａにイヤーチップ５の環部５３を当接させることにより、中心線方向（より詳細には、Ｚ軸負方向）へのイヤーチップ５の移動を規制する。第２段差面１３３ｂは、第２突起１３３のケース本体１０側に設けられ、中心線方向に概ね垂直に形成されている。
なお、第１突起１３４と同様に、第２断面６３では、第２突起１３３が設けられている場所において、音導管３の肉厚が最大となっている。
以上のように、音導管本体３５の端部にはフランジ３２が形成され、音導管３の先端側（つまり、フランジ３２側）の位置にイヤーチップ５を固定するための第１突起１３４が形成されている。さらに、音導管３の根本側（つまり、ケース本体１０側）の位置にイヤーチップ５を固定するための第２突起１３３が形成されている。
【００１８】
ここで、音導管本体３５の外周面３５ａと、第１突起１３４と、第２突起１３３と、は音導管３の外周部を形成している。音導管３の外周部には、イヤーチップ５の環部５３を嵌め込むことができる。
前述のように、第４係止面１１ｂは、第２突起１３３よりもケース本体１０側に設けられた環状の面であり、フランジ３２側を向くように形成されている。第４係止面１１ｂは、イヤーチップ５が第２状態にある場合に、イヤーチップ５の環部５３を当接させることにより、中心線方向（より詳細には、Ｚ軸負方向）へのイヤーチップ５の移動を規制する。
《第１突起および第２突起の位置関係》
ここで、第１突起１３４と第２突起１３３との位置関係について説明する。
【００１９】
図２および図４に示すように、距離Ｇ１はフランジ３２の第１係止面３２ａと第３係止面１３３ａとの中心線方向の距離であり、距離Ｇ２は第１突起１３４の第２係止面１３４ａと第４係止面１１ｂとの中心線方向の距離である。第１突起１３４および第２突起１３３は、距離Ｇ１と距離Ｇ２とが概ね等しくなるように設けられている。
さらに、距離Ｇ１は、第１係止面３２ａと第２係止面１３４ａとの中心線方向の距離Ｗ１（第１距離の一例）よりも大きくなるように設定されている。その結果、距離Ｇ１が測定される領域と距離Ｇ２が測定される領域とは、中心線方向に重複している。
また、寸法Ｐ１は第１突起１３４の中心線方向の寸法であり、寸法Ｐ２は第２突起１３３の中心線方向の寸法である。第１突起１３４は、寸法Ｐ１が距離Ｇ１よりも小さくなるように形成されている。同様に、第２突起１３３は、寸法Ｐ２が距離Ｇ２よりも小さくなるように形成されている。
【００２０】
前述のように、第１突起１３４の対向する方向と第２突起１３３の対向する方向とは異なっている。したがって、中心線方向から見た場合に、第１突起１３４の配置される位置は、第２突起１３３の配置される位置からずれている。さらに、図３に示すように、中心線方向から見た場合に第１突起１３４と第２突起１３３とは重なり合っていない。
このように、第１突起１３４および第２突起１３３は、音導管本体３５の外周を一周する環状の突起としてではなく、音導管本体３５の外周の一部にのみ配置された突起として形成されている。そして、第１突起１３４と第２突起１３３とは音導管３の中心線方向にずれた位置に配置され、音導管本体３５の周方向においては、交互に配列されている。
＜１．１．３：イヤーチップ＞
イヤーチップ５は、音導管３に嵌め込み可能なクッション材であり、筒部５１と、笠状部５２と、環部５３と、を有する。
【００２１】
イヤーチップ５は、クッション材として機能するように、柔軟な材質で形成されている。具体的には、イヤーチップ５は、軟質ゴムやシリコンゴムなどの弾性材料で形成されている。また、環部５３は、音導管３への嵌め込みを可能にするために、伸縮性のある材質で形成されている。通常の場合、弾性材料は伸縮性を有するので、イヤーチップ５の成形方法としては、弾性材料を用いた一体成形が考えられる。
筒部５１は、筒状に形成され、第１端５１ａと第２端５１ｂとを有している。第１端５１ａには環部５３が形成され、第２端５１ｂには笠状部５２が連結されている。イヤーチップ５が音導管３に取り付けられた状態において、筒部５１の軸方向、つまり、第１端５１ａから第２端５１ｂへ向かう方向、は中心線方向と一致しており、第１端５１ａがケース本体１０側に配置される。
【００２２】
笠状部５２は、筒部５１を覆うように形成されており、ユーザーがイヤホン装置１００を装着した場合に、ユーザーの外耳道と接触する。笠状部５２は、筒部５１の第２端５１ｂに連結されており、第２端５１ｂから第１端５１ａへ向かって折り返すように延びている。したがって、図２および図４に示すように、イヤーチップ５が音導管３に取り付けられた状態では、笠状部５２は、音導管３を覆うように配置されている。
環部５３は、筒部５１の第１端５１ａ側に環状に形成されており、音導管３の外周部に嵌め込み可能である。図２に示すように、環部５３はイヤーチップ５の内側に突出しており、フランジ３２に形成された第１係止面３２ａもしくは第１突起１３４に形成された第２係止面１３４ａに当接することができる。より詳細には、環部５３は、第２端５１ｂ側に形成されイヤーチップ５の軸方向（つまり、筒部５１の軸方向）に概ね垂直な第１係合面５３ａを有している。第１係合面５３ａは、第１係止面３２ａもしくは第２係止面１３４ａに当接することができる。
【００２３】
また、環部５３は内周面５３ｂを有している。図２から図４に示すように、内周面５３ｂは、イヤーチップ５が音導管３に取り付けられた状態において、音導管３の外周部に接している。
図４に示すように、寸法Ｌ１（第１寸法の一例）は、イヤーチップ５の軸方向における環部５３の寸法である。寸法Ｌ１は、第１係止面３２ａと第３係止面１３３ａとの中心線方向の距離Ｇ１と概ね等しく、あるいは、距離Ｇ１よりも若干小さくなるように設定されている。このように寸法Ｌ１が設定されているので、環部５３は、フランジ３２と第２突起１３３との間に嵌り込むことができる。同様に、寸法Ｌ１は、第２係止面１３４ａと第４係止面１１ｂとの中心線方向の距離Ｇ２と概ね等しく、あるいは、距離Ｇ２よりも若干小さくなるように設定されている。したがって、環部５３は、第１突起１３４と第４係止面１１ｂとの間に嵌り込むことができる。
【００２４】
環部５３の内周の長さは、第１断面６４の第１外周６４ａおよび第２断面６３の第２外周６３ａよりも小さくなるように設定されている。したがって、環部５３は、音導管３に取り付けられる場合には、音導管３の外周部により押し広げられた状態で音導管３の外周部に嵌め込まれる。
＜１．２：イヤーチップの取り付け＞
＜１．２．１：イヤーチップの取り付け状態＞
イヤホン装置１００において、音導管３にイヤーチップ５が取り付けられた状態について、図を用いて説明する。本実施形態に係るイヤホン装置１００では、音導管３に取り付けられたイヤーチップ５は、取り付け態様に応じて第１状態と第２状態とをとり得る。
つまり、イヤーチップ５の環部５３を音導管３の先端側（つまり、フランジ３２側）に固定するための第２突起１３３と、根本側（つまり、ケース本体１０側）に固定するための第１突起１３４と、が形成されているので、イヤーチップ５を音導管３の先端側および根本側のいずれか一方に選択的に取り付けることができる。
【００２５】
《第１状態》
イヤーチップ５の第１端５１ａ側をフランジ３２に押し当て、環部５３をフランジ３２よりもケース本体１０側に押し込むことにより、イヤーチップ５が音導管３に取り付けられる。音導管３に押し込まれたイヤーチップ５は、環部５３がフランジ３２と第２突起１３３との間に嵌り込むことにより、第１状態となる。
図２は、イヤーチップ５の第１状態（つまり、環部５３が音導管３の先端側にある状態）が選択された場合を示している。図２では、音導管３の中心線ＣＬを含むようにＺＹ平面で第１突起１３４を切断した場合の断面が示されている。また、図３もまた、第１状態が選択された場合のイヤホン装置１００を示している。
図２に示すように、第１状態では、環部５３の第１係合面５３ａは、フランジ３２の第１係止面３２ａと対向している。また、第１端５１ａは、第２突起１３３の第３係止面１３３ａと概ね接する位置にある。このように、環部５３は、第１係止面３２ａおよび第３係止面１３３ａとの間に隙間が実質的に生じない状態で配置されている。そして、イヤーチップ５に中心線方向の力が作用しても、環部５３が第１係止面３２ａもしくは第３係止面１３３ａに当接することにより、イヤーチップ５の中心線方向の移動が規制される。
【００２６】
また、第１状態では、環部５３の中心線方向の位置は、第１断面６４の位置と重なっている。したがって、図３に示すように、第１状態では、第１外周６４ａの少なくとも一部が環部５３の内周面５３ｂと接している。つまり、内周面５３ｂは、第１外周６４ａのＸ軸方向の両端およびＹ軸方向の両端に接している。第１外周６４ａのＸ軸方向の両端は、第１突起１３４の一部分である。また、第１外周６４ａのＹ軸方向の両端は、音導管本体３５の外周面３５ａの一部分である。
このように、第１状態において、イヤーチップ５の環部５３は、フランジ３２と第２突起１３３とにより挟まれた状態で音導管３に嵌合するとともに、破線で示した第１突起１３４に乗り上がるようにして配置されている（図２）。
第１状態では、環部５３は音導管３の外周部により押し広げられるので、環部５３が縮まる方向に張力が発生している。前述のように、環部５３は伸縮性を有する材質で形成されている。また、第１外周６４ａの長さは、環部５３を押し広げることができるように、環部５３の内周の長さよりも長く設定されている。したがって、第１状態においては、音導管３に取り付けられていない状態に比べて環部５３の内周の長さは伸びており、環部５３には内周の長さを元に戻そうとする張力が発生している。
【００２７】
第１状態では、環部５３に発生した張力は、音導管３の外周部を締め付ける方向に作用している。その結果、環部５３の内周面５３ｂは、第１突起１３４および音導管本体３５の外周面３５ａに押し付けられる。したがって、環部５３を音導管３の外周部から引き剥がす方向に、環部５３に生じている張力と釣り合う程度の力が作用しない限り、イヤーチップ５が音導管３に嵌め込まれた状態が維持される。
さらに、第１状態では環部５３に張力が働いているので、フランジ３２の第１係止面３２ａを介して環部５３に中心線方向の力が働いた場合に、環部５３の変形が起こりにくい。ここで、イヤーチップ５を音導管３から取り外すためには、イヤーチップ５にＺ軸正方向の力を作用させ、環部５３を変形させながら、環部５３をＺ軸正方向（音導管からの取り外し方向の一例）に移動させる必要がある。つまり、フランジ３２を乗り越えられる程度に環部５３を変形させる必要がある。しかしながら、イヤホン装置１００では、環部５３の変形が起こりにくいので、環部５３に発生している張力に見合う程度の力が環部５３に作用しない限り、環部５３はフランジ３２を乗り越えることができない。言い換えれば、環部５３がフランジ３２に強固に噛み合っているため、イヤーチップ５が音導管３から外れにくくなっている。
【００２８】
以上のように、音導管３の外周部を形成する第１突起１３４が、音導管本体３５の左右（図３）に配置され、第２突起１３３が上下（図３）に配置される構成にすれば、イヤーチップ５の環部５３が第１突起１３４に乗り上げることにより環部５３の張力が増す。その結果、音導管３に対する環部５３の噛み合いの強度を向上させることが可能である。
《第２状態》
イヤーチップ５を第１状態よりもケース本体１０側に移動させ、音導管３に対して固定することができる。第１状態からさらに音導管３に押し込まれたイヤーチップ５は、環部５３が第１突起１３４と第４係止面１１ｂとの間に嵌り込むと、第２状態となる。
図４は、イヤーチップ５の第２状態（つまり、イヤーチップ５を音導管３の根本側に移した状態）を示している。図４では、音導管３の中心線ＣＬを含むようにＺＸ平面で第１突起１３４を切断した場合の断面が示されている。
【００２９】
図４に示すように、第２状態では、環部５３の第１係合面５３ａは、第１突起１３４の第２係止面１３４ａと対向している。また、第１端５１ａは、第４係止面１１ｂと概ね接する位置にある。このように、環部５３は、第２係止面１３４ａおよび第４係止面１１ｂとの間に隙間が実質的に生じない状態で配置されている。そして、イヤーチップ５に中心線方向の力が作用しても、環部５３が第２係止面１３４ａもしくは第４係止面１１ｂに当接することにより、イヤーチップ５の中心線方向の移動が規制される。
また、第２状態では、環部５３の中心線方向の位置は、第２断面６３の中心線方向の位置と重なっている。したがって、第２状態では、第２外周６３ａの少なくとも一部が環部５３の内周面５３ｂと接している。つまり、内周面５３ｂは、第２外周６３ａのＸ軸方向の両端およびＹ軸方向の両端に接している。第２外周６３ａのＸ軸方向の両端は、音導管本体３５の外周面３５ａの一部分である。また、第２外周６３ａのＹ軸方向の両端は、第２突起１３３の一部分である。第２断面６３は、例えば、図４の仮想線ＶＬの位置で音導管３を切断することによって得られる。
【００３０】
このように、第２状態において、イヤーチップ５の環部５３は、第１突起１３４と第４係止面１１ｂとにより挟まれた状態で音導管３に嵌合するとともに、第２突起１３３に乗り上がるようにして配置されている。
第２状態では、環部５３は音導管３の外周部により押し広げられるので、環部５３が縮まる方向に張力が発生している。第２外周６３ａの長さは、環部５３を押し広げることができるように、環部５３の内周の長さよりも長く設定されている。したがって、第２状態においては、音導管３に取り付けられていない状態に比べて環部５３の内周の長さは伸びており、環部５３には内周の長さを元に戻そうとする張力が発生している。
第２状態では、環部５３に発生した張力は、音導管３の外周部を締め付ける方向に作用している。その結果、環部５３の内周面５３ｂは、第２突起１３３および音導管本体３５の外周面３５ａに押し付けられる。したがって、環部５３を音導管３の外周部から引き剥がす方向に、環部５３に生じている張力に釣り合う程度の力が作用しない限り、イヤーチップ５が音導管３に嵌め込まれた状態が維持される。
【００３１】
さらに、第２状態では環部５３に張力が働いているので、第１突起１３４の第２係止面１３４ａを介して環部５３に中心線方向の力が働いた場合に、環部５３の変形が起こりにくい。ここで、イヤーチップ５を音導管３から取り外す（あるいは、第１状態へ移動させる）ためには、イヤーチップ５にＺ軸正方向の力を作用させ、環部５３を変形させながら、環部５３をＺ軸正方向に移動させる必要がある。つまり、第１突起１３４を乗り越えられる程度に環部５３を変形させる必要がある。しかしながら、イヤホン装置１００では、環部５３の変形が起こりにくいので、環部５３に発生した張力に見合う程度の力が環部５３に作用しない限り、環部５３は第１突起１３４を乗り越えることができない。言い換えれば、環部５３が第１突起１３４に強固に噛み合っているため、イヤーチップ５が中心線方向にずれにくくなっている。
【００３２】
なお、第２状態では、中心線方向から見た場合に、第１突起１３４が配置されている位置では、環部５３は音導管本体３５の外周面３５ａに接している（図３を参照）。これは、第１突起１３４および第２突起１３３の周方向の長さが適度な長さに設定されており、１対の第１突起１３４の対向する方向が１対の第２突起１３３の対向する方向とずれているためである。このように、第２状態では、環部５３が第１突起１３４と第４係止面１１ｂの間に完全に入り込んでいるため、環部５３は第２係止面１３４ａと確実に噛み合っている。
《たわみ部分》
以上のように、イヤホン装置１００は、イヤーチップ５の取り付け状態に応じて第１状態または第２状態を取りうる。第２状態では、イヤーチップ５は、第１状態にあるときよりもケース本体１０の前面１１ａに近い位置に配置されている。このように、イヤホン装置１００では、中心線方向でのイヤーチップ５の位置を調節することができる。
【００３３】
ここで、中心線方向でのイヤーチップ５の位置を調節できることの利点について説明する。前述のように、挿入方式のイヤホン装置は、イヤーチップが外耳道に挿入された場合、外耳道に対するイヤーチップの摩擦力によりユーザーの耳に保持される。このとき、ケース本体に対するイヤーチップの距離が可変でない場合には、外耳道内でのイヤーチップの位置の微調整をすることが容易ではない。つまり、イヤーチップが耳から抜けにくいように強く挿入するとか、逆に圧迫感が発生しないようにゆるく挿入するといった使用の多様性に対応することが困難である。したがって、イヤーチップの音導管に対する位置を調節できることが望ましい。
そこで、例えば音導管を延長し、上下２段の溝を設ければ、イヤーチップをそれぞれの溝に嵌め込むことにより、イヤーチップの位置を調節することができる。このようなイヤホン装置では、ケース本体に対するイヤーチップの距離を段階的に調節することにより、ユーザーの嗜好や外耳道の大きさなどの多様性に対応することが可能である。しかしながら、音導管に２段の溝を設けるためには、音導管を長くする必要がある。
【００３４】
音導管が長い場合は、音導管にイヤーチップが深く挿入されると、イヤーチップ先端がたわみにくくなり、イヤーチップがクッション材として十分に機能しなくなるおそれがある。イヤーチップによるクッションが十分でない場合には、ユーザーが心地よくイヤホン装置を使用することができない。特に、小型のイヤーチップを音導管に取り付けた場合にクッション機能の低下が顕著になるので、ユーザーが耳の大きさに合わせて小型のイヤーチップを選択した場合には、ユーザーの快適性を確保できないおそれがある。
一方で、本実施形態に係るイヤホン装置１００では、音導管３の長さを抑制しつつ、イヤーチップ５の中心線方向の位置を調節することができる。具体的には、イヤーチップ５の環部５３の根本側の固定位置を先端側の固定位置とオーバーラップさせることにより、音導管３の長さを抑制している。つまり、フランジ３２の第１係止面３２ａと第１突起１３４の第２係止面１３４ａとの中心線方向の距離Ｗ１は、イヤーチップ５の軸方向での環部５３の寸法Ｌ１よりも小さく設定されている。その結果、図２および図４に示すように、第１状態における環部５３の中心線方向の位置と、第２状態における環部５３の中心線方向の位置とは、一部が重複している。
【００３５】
このように、イヤホン装置１００では、音導管３の長さを抑制することができるので、第２状態において、音導管３の端面３８から第２端５１ｂまでの中心線方向の距離Ｗ２を大きくすることができる。つまり、たわみ部分５ｂを大きくすることができ、イヤーチップ５のクッション性を高めることが可能となる。ここで、たわみ部分５ｂとは、イヤーチップ５が音導管３に取り付けられた状態（つまり、第１状態または第２状態）において、イヤーチップ５のうち音導管３の端面３８よりもＺ軸正側に配置された部分をいう。
以上のように、音導管３のケース本体１０からの突出量を抑制することができるので、２段階でのイヤーチップ５の位置の調節を可能としながら、イヤーチップのたわみ部分５ｂを大きくでき、ユーザーの外耳道への装着性および音質を向上させることが可能である。
【００３６】
＜１．２．２：装着＞
ユーザーの耳へのイヤホン装置１００の装着について説明する。
イヤホン装置１００が使用される時は、ケース本体１０が耳珠と耳甲介と対耳珠とにより囲まれた領域に配置されるとともに、イヤーチップ５が外耳道に密接するよう挿入される。
軟質ゴムなどにより形成されたイヤーチップ５が外耳道に嵌め込まれるので、音導管３を外耳道に挿入しても痛みが伴うことはなく、装着感の低下が抑制されている。特にイヤホン装置１００では、たわみ部分５ｂが大きく確保されているので、ユーザーの快適性が高まっている。
また、挿入型のイヤホン装置は、イヤーチップ５が外耳道を塞いでいるので、低音の再生能力に優れている。つまり、挿入型のイヤホン装置は、低音域の音を比較的忠実に再現できる。特に、本実施形態に係るイヤホン装置１００では、たわみ部分５ｂが大きく確保されているので、たわみ部分５ｂが変形することにより、イヤーチップ５が外耳道に容易に密接できる。つまり、イヤーチップ５は外耳道をより確実に塞ぐことができ、音の漏れが低減される。その結果、イヤホン装置１００では、低音域の音の再現性がさらに向上している。このように、イヤホン装置１００は、小型である一方で、音漏れが少なく、遮音性が高いので、音質が良好である。
【００３７】
＜１．３：効果＞
ここで、第１実施形態に係るイヤホン装置１００の効果についてまとめる。
（１）
このイヤホン装置１００では、音導管３の第１外周６４ａの長さが環部５３の内周の長さよりも長いので、環部５３を音導管３に緩みなく嵌め込むことができる。その結果、イヤーチップ５と音導管３との結合が強まり、イヤーチップ５を音導管３に確実に取り付けることができる。
（２）
このイヤホン装置１００では、イヤーチップ５が第１状態にある場合には、第１外周６４ａの少なくとも一部が環部５３の内周面５３ｂと接しているので、環部５３は音導管３により押し広げられ、環部５３には音導管３を締め付ける方向に張力が発生する。発生した張力により環部５３は音導管３に押し付けられ、環部５３が音導管３に緩み無く嵌め込まれるので、イヤーチップ５を音導管３に確実に取り付けることができる。
【００３８】
（３）
このイヤホン装置１００では、イヤーチップ５は、環部５３が第１断面６４よりもケース本体１０側に配置され音導管３に対する移動が規制された第２状態を取り得る。つまり、イヤーチップ５を音導管３に取り付ける場合に、第１状態での位置とは異なる位置に取り付けることができる。このように、音導管３に対するイヤーチップ５の位置を調節できるので、ユーザーの利便性が向上する。
（４）
このイヤホン装置１００では、第１断面６４とは異なる位置に配置され中心線方向に概ね垂直な第２断面６３を有しており、第２断面６３の第２外周６３ａの長さは環部５３の内周の長さよりも長いので、第１断面６４以外の位置であってもイヤーチップ５を確実に音導管３に固定することができる。このように、音導管３へのイヤーチップ５の取り付け態様を選択できるとともに、いずれの態様においてもイヤーチップ５を確実に音導管３に嵌め込むことができる。
【００３９】
（５）
このイヤホン装置１００では、イヤーチップ５が第２状態にある場合には、第２外周６３ａの少なくとも一部が環部５３の内周面５３ｂと接しているので、環部５３は確実に音導管３により押し広げられ、環部５３には音導管３を締め付ける方向に張力が発生する。発生した張力により環部５３は音導管３に押し付けられ、環部５３が音導管３に緩み無く嵌め込まれるので、イヤーチップ５を音導管３に確実に取り付けることができる。
（６）
このイヤホン装置１００では、第１断面６４に対応する位置に、音導管本体３５から径方向に沿って突出する第１突起１３４が設けられているので、環部５３は第１突起１３４により確実に押し広げられ、音導管３に緩み無く嵌め込まれる。
【００４０】
（７）
このイヤホン装置１００では、第２断面６３に対応する位置に、音導管本体３５から径方向に沿って突出する第２突起１３３が設けられているので、環部５３は第２突出部により確実に押し広げられ、音導管３に緩み無く嵌め込まれる。
（８）
このイヤホン装置１００では、中心線方向から見た場合に第１突起１３４と第２突起１３３とが互いにずれて配置されているので、第２突起１３３により環部５３が押し広げられた状態であっても、環部５３は確実に第１突起１３４と噛み合うことができる。したがって、第２状態では、第１突起１３４により環部５３の中心線方向への移動が規制されるとともに、環部５３に発生した張力により環部５３が音導管３に押し付けられる。その結果、第２状態においても、イヤーチップ５を音導管３に確実に嵌め込むことができる。
【００４１】
（９）
このイヤホン装置１００では、第１突起１３４は第２係止面１３４ａを有するので、第２状態において環部５３が第２係止面１３４ａに当接することにより、イヤーチップ５の中心線方向への移動が確実に規制される。このように、イヤーチップ５を第２状態で確実に音導管３に取り付けることができる。
（１０）
このイヤホン装置１００では、第１係止面３２ａから第２係止面１３４ａまでの中心線方向の距離Ｗ１がイヤーチップ５の軸方向での環部５３の寸法Ｌ１よりも小さいので、第１状態における環部５３の位置は、第２状態における環部５３の位置と中心線方向に部分的に重複している。このように、音導管３の中心線方向の長さを抑制しつつ、音導管３に対するイヤーチップ５の中心線方向での位置を段階的に調節することができる。その結果、イヤーチップ５のたわみ部分５ｂを大きくすることができ、イヤーチップ５のクッション材としての機能が高まる。
【００４２】
つまり、イヤホン装置１００では、ケース本体１０からイヤーチップ５の距離を段階的に変化させることにより、ユーザーの嗜好や外耳道の大きさなどの多様性に対応している。また、イヤーチップ５を音導管３に確実に固定できると同時に、音導管３のケース本体１０からの突出が抑制されているので、装着性および音質を向上させることが可能である。
（１１）
このイヤホン装置１００では、第２突起１３３が第３係止面１３３ａを有するので、第１状態において環部５３を第３係止面１３３ａに当接させることにより、イヤーチップ５の中心線方向への移動を規制することができる。つまり、音導管３に対するイヤーチップ５の位置を安定させることができる。
〔第２実施形態〕
第１実施形態では、第１突起１３４には、中心線方向と概ね垂直な第１段差面１３４ｂが設けられていたが、第１段差面１３４ｂの代わりに、中心線方向に対して傾きを有する面が設けられてもよい。同様に、第２段差面１３３ｂの代わりに、中心線方向に対して傾きを有する面が第２突起１３３に設けられてもよい。
【００４３】
以下では、図５および図６を用いて、第２実施形態に係るイヤホン装置２００について説明する。なお、第１実施形態と実質的に同様の構成については、同じ符号を付すものとし、その詳細な説明を省略する。
イヤホン装置２００は、イヤホン装置１００において、第１突起１３４を第１突起２３４（第１の規制部の一例、第１突出部の一例）に置き換え、第２突起１３３を第２突起２３３（第２の規制部の一例、第２突出部の一例）に置き換えることによって得られる。
第１突起２３４は、第２係止面１３４ａと、第１傾斜面２３４ｂと、を有している。イヤホン装置１００において、中心線ＣＬから径方向に離れるにしたがって第２係止面１３４ａに近付くように第１段差面１３４ｂを傾けることにより、第１傾斜面２３４ｂが得られる。
【００４４】
図６では、イヤーチップ５が第１状態にある場合のイヤホン装置２００が示されている。つまり、図６では、環部５３は、フランジ３２と第２突起２３３の間に嵌め込まれており、第１突起２３４に乗り上げている。図６に示すように、第１傾斜面２３４ｂは、ケース本体１０側にいくにしたがって中心線ＣＬから離れるように傾いている。言い換えれば、第１傾斜面２３４ｂは、フランジ３２側を向くようにして傾いている。
一方で、環部５３が第１突起２３４を締め付ける方向に張力を発生させると、環部５３には、第１傾斜面２３４ｂから抗力が作用する。第１傾斜面２３４ｂは、フランジ３２側を向くようにして傾いているので、第１傾斜面２３４ｂから環部５３に作用する抗力は、中心線方向に沿ってフランジ３２側へ向かう向き（つまり、Ｚ軸正方向）の成分を含んでいる。その結果、環部５３には中心線方向に沿ってフランジ３２側への力が働き、環部５３はフランジ３２の第１係止面３２ａに押し付けられる。このように、環部５３が音導管３の外周部を押す力が、第１傾斜面２３４ｂにより、中心線方向にフランジ３２側へ環部５３を押し出す力に変換される。
【００４５】
環部５３が第１係止面３２ａに押し付けられると、環部５３の第１係合面５３ａと第１係止面３２ａとが対向した状態が保たれる。このように、第１係合面５３ａと第１係止面３２ａが密接しているので、イヤーチップ５の中心線方向の移動が確実に防止され、イヤーチップ５の位置が安定する。また、イヤーチップ５の音導管３からの脱落が防止される。
また、第１傾斜面２３４ｂは中心線ＣＬから離れるにしたがって第２係止面１３４ａに近付くよう傾斜しているので、フランジ３２の第１係止面３２ａと第１傾斜面２３４ｂとの間に形成される隙間２３７の中心線方向の幅は、中心線ＣＬから離れるにしたがって大きくなっている。このように、隙間２３７の径方向外側が開いているので、環部５３が隙間２３７に入り込みやすくなる。環部５３が隙間２３７に入り込むことにより、第１状態において、環部５３の第１係合面５３ａとフランジ３２の第１係止面３２ａとを確実に向かい合わせることができる。つまり、環部５３が第１突起２３４に乗り上げている状態であっても、第１係止面３２ａと第１係合面５３ａとの径方向でのずれを抑制することができる。このように、イヤホン装置２００では、環部５３はフランジ３２に確実に噛み合あうので、イヤーチップ５は音導管３から脱落しにくくなる。
【００４６】
以上のように、第２実施形態に係るイヤホン装置２００は、第１突起２３４の断面形状が三角形となるように構成されている（図６）。したがって、イヤーチップ５の環部５３が三角形に形成された第１突起２３４の先端に乗り上がることにより環部５３に発生する張力が増す。さらに、環部５３は三角形の斜面に沿ってフランジ３２側および外周面３５ａ側へ付勢されながら固定されるので、フランジ３２に確実に引っ掛かる。その結果、イヤホン装置２００では、イヤーチップ５と音導管３との嵌合強度を向上させることが可能である。
第２突起２３３は、第３係止面１３３ａと、第２傾斜面２３３ｂと、を有している。イヤホン装置１００において、中心線ＣＬから径方向に離れるにしたがって第３係止面１３３ａに近付くように第２段差面１３３ｂを傾けることにより、第２傾斜面２３３ｂが得られる。このように、第２突起２３３は、中心線ＣＬから離れるにしたがって中心線方向の幅が狭くなるテーパー形状を有している。したがって、環部５３が第２突起２３３に乗り上げた第２状態では、環部５３の内周面５３ｂに第２突起２３３が食い込むので、イヤーチップ５が音導管３に確実に固定される。
〔他の実施形態〕
ここに開示されたイヤホン装置の具体的な構成は、前述の実施形態に限定されず、発明の要旨を変更しない範囲で種々の変更および修正が可能である。
【００４７】
（Ａ）
前述の実施形態では、音導管本体３５は円筒であるとしたが、音導管本体３５は円筒以外であってもよい。つまり、音導管本体３５が筒状あればよいので、例えば、音導管本体３５の断面は楕円であってもよいし、多角形であっても構わない。
（Ｂ）
前述の実施形態では、第１突起１３４（または、第１突起２３４）および第２突起１３３（または、第２突起２３３）は対で形成されていたが、突起の構成要素の個数は必ずしも２つでなくてよい。音導管本体３５に突起を設けることにより、環部５３の内周の長さよりも長い外周を有する断面が得られればよい。したがって、第１突起１３４（または第１突起２３４）に含まれる突起の数は１つ、あるいは、３つ以上であっても構わない。同様に、第２突起１３３（または、第２突起２３３）に含まれる突起の数は１つ、あるいは、３つ以上であっても構わない。
【００４８】
（Ｃ）
前述の実施形態では、第１突起１３４（または、第１突起２３４）および第２突起１３３（または、第２突起２３３）は、中心線方向から見た場合に、音導管本体３５の一部にのみ形成されていた。例えば、第１突起１３４を構成する２つの突起の周方向の寸法は、それぞれ、音導管本体３５の周の長さの１／８〜１／６程度に設定されていた（図３を参照）。
しかしながら、これらの突起の周方向の寸法は、前述の実施形態で示した寸法に限定されない。つまり、環部５３と確実に噛み合うことができる範囲であれば、第１突起１３４（または、第１突起２３４）および第２突起１３３（または、第２突起２３３）の周方向の寸法として、前述の実施形態以外の寸法が設定されてもよい。
【００４９】
（Ｄ）
前述の実施形態では、フランジ３２は音導管本体３５の周方向に沿って一周するように環状に設けられていたが、周方向に沿って音導管本体３５の一部にのみ形成されていてもよい。つまり、フランジ３２は、環部５３と当接することによりイヤーチップ５の中心線方向への移動を規制できる程度の大きさで設けられていればよい。
（Ｅ）
また、音導管本体３５の外周面３５ａから測ったフランジ３２の径方向の幅（以下、突出幅という）は、音導管本体３５の周方向に沿って一様でなくてもよい。例えば、第２突起１３３の突出する方向（つまり、Ｙ軸方向）での突出幅Ｄ１（図２）を、第１突起１３４の突出する方向（つまり、Ｘ軸方向）での突出幅Ｄ２（図４）よりも大きく設定してもよい。このようにフランジ３２を設けることにより、図３に示すように、環部５３が音導管本体３５の外周面３５ａに接する位置においてフランジ３２の突出幅が大きくなる。その結果、第１状態では環部５３がフランジ３２とより確実に噛み合うことになるので、イヤーチップ５の音導管３からの脱落をより効果的に抑制することができる。
【００５０】
（Ｆ）
前述の実施形態では、中心線方向に沿って２つの突起（つまり、第１突起１３４および第２突起１３３）が設けられていたが、３つ以上の突起が設けられていてもよい。
具体的には、イヤーチップ５（より詳細には、環部５３）の固定される位置が中心線方向にオーバーラップするように、第１突起１３４および第２突起１３３と中心線方向にずれた位置に、さらに突起を設けることが可能である。このように３つ以上の突起を中心線方向に配列することにより、音導管に対するイヤーチップの取り付け位置を、さらに細かく、段階的に調節することが可能となる。
【産業上の利用可能性】
【００５１】
上記に示されたイヤホン装置は、例えば携帯式のオーディオ機器に使用することができるので、有用である。
【符号の説明】
【００５２】
１００  イヤホン装置（第１実施形態）
１  イヤホン装置本体
２  発音体
１０  ケース本体
１１  前部カバー
１１ａ  前面
１１ｂ  第４係止面
１５  背部カバー
１６  コード支持部
３  音導管
３１  音通孔
３２  フランジ
３２ａ  第１係止面
３５  音導管本体
３５ａ  外周面
３８  端面
１３３  第２突起（第２突出部の一例）
１３３ａ  第３係止面
１３３ｂ  第２段差面
１３４  第１突起（第１突出部の一例）
１３４ａ  第２係止面
１３４ｂ  第１段差面
４  コード
５  イヤーチップ
５ｂ  たわみ部分
５１  筒部
５１ａ  第１端
５１ｂ  第２端
５２  笠状部
５３  環部
５３ａ  第１係合面
５３ｂ  内周面
６３  第２断面
６３ａ  第２外周
６４  第１断面
６４ａ  第１外周
２００  イヤホン装置（第２実施形態）
２３３  第２突起（第２突出部の一例）
２３３ｂ  第２傾斜面
２３４  第１突起（第１突出部の一例）
２３４ｂ  第１傾斜面
２３７  隙間
【図１】
0005382821.tif 000002
【図２】
0005382821.tif 000003
【図３】
0005382821.tif 000004
【図４】
0005382821.tif 000005
【図５】
0005382821.tif 000006
【図６】
0005382821.tif 000007